(57)【要約】【課題】複数の容器からなり、食後に収納空間が小さくなる弁当箱を携帯するための弁当箱収納袋において、食後、弁当箱収納袋をコンパクトにして弁当箱が袋内で遊ぶことを防止する。【解決手段】複数の容器２、３、４を袋底部１１上に並ぶように保持する袋体１０を有し、袋体１０内を、容器並び数が減少した状態で並び方向一方側の端部１２ｂに余剰空間Ｓを生じさせられるように設け、袋体１０の周方向一部分１４が外側から前記余剰空間Ｓに向けて全高に亘って凹まされることにより袋側周１２が周方向に縮まるようにし、袋体１０の凹み状態の維持と解除とを持ち手ベルト２０とガイド紐３０とで自在に行えるようにした。【選択図】図１
2007313216.tif 000002
【特許請求の範囲】
【請求項１】
複数の容器を袋底部上に並ぶように保持する袋体を有し、
前記袋体内を、容器並び数が減少した状態で並び方向一方側の端部に余剰空間を生じさせられるように設け、
前記袋体の周方向一部分が外側から前記余剰空間に向けて全高に亘って凹まされることにより袋側周が周方向に縮まるようにし、
前記袋体の凹み状態の維持と解除とを自在に行えるようにした弁当箱収納袋。
【請求項２】
前記袋体のうち、前記袋体の周方向一部分から並び方向他方側に外れた位置に、持ち手ベルトを取り付け、
前記複数の容器が前記袋底部上に並ぶ収納状態では、前記袋側周の並び方向一方側の外端部に設けた第１被結合部と、前記持ち手ベルトの自由部に設けた第１結合部とを着脱自在とし、かつ前記持ち手ベルトにより前記袋体を並び方向両側で挟むように吊下げ可能とし、
前記袋体の凹み状態では、前記袋側周の並び方向一方側の外端部となる位置に設けた第２被結合部と、前記持ち手ベルトの自由部に前記第１結合部より低い位置に設けた第２結合部とを着脱自在とし、かつ前記持ち手ベルトにより前記袋体を並び方向両側で挟むように吊下げ可能とした請求項１に記載の弁当箱収納袋。
【請求項３】
前記袋側周の並び方向他方側の外端部と前記持ち手ベルトとでポケットを形成した請求項２に記載の弁当箱収納袋。
【請求項４】
前記袋側周の内側に、その袋側周が並び方向と交差する向きに開くこと規制する留合せ具を設けた請求項２又は３に記載の弁当箱収納袋。
【請求項５】
前記袋底部のうち、前記袋体の周方向一部分に含まれる部分を除いたところに、板材を設けた請求項１から４のいずれかに記載の弁当箱収納袋。
【請求項６】
前記袋側周のうち、周方向で前記袋体の凹み状態における凹み中心部を除いた範囲に、芯材を設けた請求項１から５のいずれかに記載の弁当箱収納袋。
【請求項７】
前記袋側周の外側に、前記袋体の周方向一部分に含まれる袋側周部分を周方向両側から締め付け可能なガイド紐を設けた請求項１から６のいずれかに記載の弁当箱収納袋。
【請求項８】
前記袋側周の外側に、スライドファスナを構成する一対のエレメントを周方向に離間させて設け、
前記袋体の周方向一部分を、周方向で前記一対のエレメント間に位置させ、
前記袋体の凹み状態で前記一対のエレメントがスライダで噛み合わされることにより前記袋体の周方向一部分が開かないようにした請求項１から６のいずれかに記載の弁当箱収納袋。
【請求項９】
前記袋側周の外側に、フラップとこのフラップから周方向に離間する被係合面ファスナとを設け、
前記袋体の周方向一部分を、周方向で前記フラップと前記被係合面ファスナの間に位置させ、
前記袋体の凹み状態で前記フラップの内側に設けた面ファスナと前記被係合面ファスナが結着されることにより前記袋体の周方向一部分が開かないようにした請求項１から６のいずれかに記載の弁当箱収納袋。
【発明の詳細な説明】
【技術分野】
【０００１】
この発明は、複数の容器からなる弁当箱を収納するための弁当箱収納袋に関する。
【背景技術】
【０００２】
この種の弁当箱を携帯する場合には、複数の容器を纏めて携帯できる収納袋が使用されている。係る収納袋は、繰り返し利用されるものであり、一般的には、袋底部と袋側周と持ち手とを有し、上面に口部が形成されたものが広く利用されている（特許文献１）。
【０００３】
【特許文献１】実用新案登録第３０３３６８８号公報
【発明の開示】
【発明が解決しようとする課題】
【０００４】
しかしながら、前掲の特許文献１の収納袋では、弁当箱を構成する複数の容器の中に入れ子式のものが含まれたり、使い捨てのものが含まれたりする場合、食後に弁当箱の収納空間が小さくなるため、食前に最適な収納空間であっても食後に袋内に空きが生じる。その結果、弁当箱収納袋内で弁当箱が遊び、弁当箱のカチャカチャ音や容器の擦れ傷を生じさせる問題がある。
【０００５】
そこで、この発明の課題は、複数の容器からなり、食後に収納空間が小さくなる弁当箱を携帯するための弁当箱収納袋において、食後、弁当箱収納袋をコンパクトにして弁当箱が袋内で遊ぶことを防止することにある。
【課題を解決するための手段】
【０００６】
上記の課題を達成するため、この発明の弁当箱収納袋は、複数の容器を袋底部上に並ぶように保持する袋体を有し、前記袋体内を、容器並び数が減少した状態で並び方向一方側の端部に余剰空間を生じさせられるように設け、前記袋体の周方向一部分が外側から前記余剰空間に向けて全高に亘って凹まされることにより袋側周が周方向に縮まるようにし、前記袋体の凹み状態の維持と解除とを自在に行えるようにしたものである。
【０００７】
具体的には、複数の容器を袋底部上に並ぶように保持する袋体を有する構成により、食前には、複数の容器からなる弁当箱が袋体内で遊ばないようにした。
【０００８】
前記袋体内を、容器並び数が減少した状態で並び方向一方側の端部に余剰空間を生じさせられるように設けた構成により、弁当箱の収納空間が小さくなって生じる前記余剰空間（すなわち、前記弁当箱の遊び空間）を袋体内の並び方向一方側の端部に位置させられるようにした。
【０００９】
前記袋体の周方向一部分が外側から前記余剰空間に向けて全高に亘って凹まされることにより袋側周が周方向に縮まるようにした構成により、余剰空間を絞れるようにした。
【００１０】
前記袋体の凹み状態の維持と解除とを自在に行えるようにした構成により、食後に携帯する間、余剰空間の絞り状態を維持して弁当箱収納袋をコンパクトに保ち、弁当箱が袋体内で遊ぶことが防止されるようにした。結果的に、弁当箱収納袋は、袋側周の無駄部分がコンパクトに畳まれるため、持ち運びが簡単になる。また、前記袋体の凹み状態を解除し、再度、前記複数の容器を袋底部上に並ぶように保持させられる実用性を確保した。
【００１１】
前記袋体の凹み状態の維持と解除を行う具体的手段としては、上記構成において、前記袋体のうち、前記袋体の周方向一部分から並び方向他方側に外れた位置に、持ち手ベルトを取り付け、前記複数の容器が前記袋底部上に並ぶ収納状態では、前記袋側周の並び方向一方側の外端部に設けた第１被結合部と、前記持ち手ベルトの自由部に設けた第１結合部とを着脱自在とし、かつ前記持ち手ベルトにより前記袋体を並び方向両側で挟むように吊下げ可能とし、前記袋体の凹み状態では、前記袋側周の並び方向一方側の外端部となる位置に設けた第２被結合部と、前記持ち手ベルトの自由部に前記第１結合部より低い位置に設けた第２結合部とを着脱自在とし、かつ前記持ち手ベルトにより前記袋体を並び方向両側で挟むように吊下げ可能とした構成を採用することができる。
【００１２】
具体的には、前記袋体のうち、前記袋体の周方向一部分から並び方向他方側に外れた位置に、持ち手ベルトを取り付けた構成により、持ち手ベルトが袋体の周方向一部分の凹み変形の支障にならないようにした。
【００１３】
前記複数の容器が前記袋底部上に並ぶ収納状態では、前記袋側周の並び方向一方側の外端部に設けた第１被結合部と、前記持ち手ベルトの自由部に設けた結合部とを着脱自在とし、かつ前記持ち手ベルトにより前記袋体を並び方向両側で挟むように吊下げ可能とした構成により、弁当箱に中身が詰まった携帯時に、吊下げ荷重により持ち手ベルトから袋体に並び方向両側から力が加えられるようにし、その結果、複数の容器が並び方向にずれ動くことを防止することができるようにした。
また、前記袋体の周方向一部分が凹まされることにより周方向に移動する袋側周の並び方向一方側の外端部と持ち手ベルトを離脱させられるようにし、これにより、持ち手ベルトが前記袋体の周方向一部分の凹み変形の支障にならないようにした。
ここで、前記袋体の凹み状態では、袋側周が周方向に縮まる結果、前記第１結合部が相対的に前記第１被結合部より高くなり、両者を結合することができなくなる。
【００１４】
そこで、前記袋体の凹み状態では、前記袋側周の並び方向一方側の外端部となる位置に設けた第２被結合部と、前記持ち手ベルトの自由部に前記第１結合部より低い位置に設けた第２結合部とを着脱自在とし、かつ前記持ち手ベルトにより前記袋体を並び方向両側で挟むように吊下げ可能とした構成により、前記袋体の凹み状態でも前記袋体の周方向一部分が開くことを持ち手ベルトで阻止し、また、第２結合部を第２被結合部から離脱させることにより、その凹み状態を解除することができるようにした。
【００１５】
なお、前記袋側周のうち、並び方向一方側の外端部は、前記の凹ませ前後において変形せず、周方向に移動しない。
【００１６】
ここで、上記持ち手ベルトを採用した構成において、前記袋側周の並び方向他方側の外端部と前記持ち手ベルトとでポケットを形成した構成を採用すれば、持ち手ベルトを利用してポケットを簡単に構成することができ、そのポケットに箸、フォーク、スプーンなどを差し込んで弁当箱と一緒に携帯することができる。
【００１７】
また、上記持ち手ベルトを採用した構成において、前記袋側周の内側に、その袋側周が並び方向と交差する向きに開くこと規制する留合せ具を設けた構成を採用すれば、持ち手ベルトから袋側周に並び方向両側から力が加えられ、袋側周が並び方向と交差する向きに開こうとしても規制以上に開かなくなり、前記複数の容器の並びが乱れることを確実に防止することができる。
【００１８】
また、上記構成において、前記袋底部のうち、前記袋体の周方向一部分に含まれる部分を除いたところに、板材を設けた構成を採用すれば、板材により前記袋体の周方向一部分と凹ませ不可能な領域とをユーザに触感で容易に理解させることができる。この構成は、袋側周の外面に前記袋体の周方向一部分を色分け等で表示させる必要がなくなり、外張りの図柄を自由に選択することができる点で有効である。
ここで、前記複数の容器の中には、ご飯を詰めるのに利用される主容器を含む場合がある。主容器は、内外２重容器構造による断熱空間部で保温性が付与されている。
前記板材を設ける場合、主容器を支持する部分は、主容器からの熱逃げを防止するため、断熱性を有することが好ましい。この実現には、係る部分を断熱性を有する別板材にしたり、係る部分に断熱シートを設けたりする構成を採用することができる。
また、主容器は、食前に重く、また、食後に空になっても他の容器より重い。このように重い主容器は、並び方向一方側の端部に位置させることが好ましい。前記袋側周で３方から安定して保持されるからである。
【００１９】
また、上記構成において、前記袋側周のうち、周方向で前記袋体の凹み状態における凹み中心部を除いた範囲に、芯材を設けた構成を採用すれば、最も屈曲する前記袋体の周方向一部分の中心部を容易に凹ませることができる。
【００２０】
また、前記袋体の凹み状態の維持と解除を行う具体的手段としては、前記袋側周の外側に、前記袋体の周方向一部分に含まれる袋側周部分を周方向両側から締め付け可能なガイド紐を設けた構成を採用することができる。
【００２１】
また、前記袋体の凹み状態の維持と解除を行う具体的手段としては、前記袋側周の外側に、スライドファスナを構成する一対のエレメントを周方向に離間させて設け、前記袋体の周方向一部分を、周方向で前記一対のエレメント間に位置させ、前記袋体の凹み状態で前記一対のエレメントがスライダで噛み合わされることにより前記袋体の周方向一部分が開かないようにした構成を採用することができる。
【００２２】
また、前記袋体の凹み状態の維持と解除を行う具体的手段としては、前記袋側周の外側に、フラップとこのフラップから周方向に離間する被係合面ファスナとを設け、前記袋体の周方向一部分を、周方向で前記フラップと被係合面ファスナの間に位置させ、前記袋体の凹み状態で前記フラップの内側に設けた面ファスナと前記被係合面ファスナが結着されることにより前記袋体の周方向一部分が開かないようにした構成を採用することができる。
【発明の効果】
【００２３】
上述のように、この発明は、上記の構成の採用により、複数の容器からなり、食後に収納空間が小さくなる弁当箱を携帯するための弁当箱収納袋において、食後、弁当箱収納袋をコンパクトにして弁当箱が袋内で遊ぶことを防止することができる。
【発明を実施するための最良の形態】
【００２４】
以下、この発明の第１実施形態に係る弁当箱収納袋を添付図面に基づいて説明する。
図１、図２に示すように、第１実施形態に係る弁当箱収納袋１は、円筒形の主容器２と、入れ子式の副容器３、４とからなる弁当箱を収納するためのものである。
【００２５】
主容器２は、入れ子にした副容器３、４を収納することができるようになっている。なお、副容器３、４の蓋は、主容器２の蓋上に載せられる。
【００２６】
副容器３、４には、菜類が詰められる。副容器３、４は蓋を閉じた状態で上下に重ねられるようになっている。
【００２７】
図１、図３に示すように、弁当箱収納袋１は、袋底部１１の外周に袋側周１２を連設し、袋側周１２に連設した巾着口１３により上方から弁当箱を出し入れ可能にした袋体１０を有する。
【００２８】
袋底部１１は、主容器２と、上下に重ねた副容器３、４とを横並びで載せられるようになっている。この横並び状態では、並び数が２である。
【００２９】
袋側周１２は、主容器２と、上下に重ねた副容器３、４とを並びが崩れず、かつ取り出し隙間のみ空けて囲むようになっている。このため、袋体１０は、主容器２と、上下に重ねた副容器３、４とを横並び状態に保持することができる。したがって、食前には、複数の容器からなる弁当箱が袋体１０内で遊ぶことはない。
【００３０】
主容器２と上下に重ねた副容器３、４の収納空間は、袋体１０内を概ね並び方向に２分する程度に設定されている。
【００３１】
図４に示すように、主容器２に副容器３、４を収納した状態では、容器並び数が１に減少し、副容器３、４の収納空間である袋体１０の約半分が空になる。すなわち、袋体１０内は、並び方向一方側の端部に余剰空間Ｓを生じさせられるように設けられている。
【００３２】
なお、この第１実施形態では、上記のように余剰空間が生じるようにしたが、例えば、２つの副容器が非入れ子式とした場合、上記横並び状態の並び数が３になる。ここで、横並び中間位置の副容器が主容器に収納される構成にした場合、他の副容器を横並び中間位置に生じる空空間に収納可能にすれば、袋体内には、並び方向一方側の端部に余剰空間を生じさせられる。このように、袋体内に余剰空間を生じさせる仕組みは容器数、容器収納構造等に応じて適宜に変更することができる。
【００３３】
図５（ａ）に示すように、前記袋体１０は、その周方向一部分１４が外側から前記余剰空間に向けて全高に亘って凹まされることにより（図５（ａ）中に白抜き矢示する）、袋側周１２が周方向に縮められるようになっている（図５（ａ）中に黒塗り矢示する）。袋底部１１、巾着口１３の周方向対応箇所も、ある程度は袋側周１２と共に内側に凹むようになっている。その結果、袋体１０は、図４、図５（ｂ）に示すように、余剰空間Ｓを絞り、内側に折り畳まれた状態になる周方向一部分１４が主容器２との間に入り込むまで絞ることができるようになっている。なお、巾着口１３は、省略することができ、また、他の下折り畳み可能な口構造を採用することもできる。この弁当箱収納袋１において巾着口１３を採用したのは、複雑な折り畳み作業を行うことなく内側に凹ませることができるからである。
【００３４】
弁当箱収納袋１は、図４に示すように、前記袋体１０を並び方向両側で挟むように吊下げ可能な持ち手ベルト２０と、前記袋側周１２の外側に設けられたガイド紐３０とにより、前記袋体１０の凹み状態の維持と解除とを自在に行えるようになっている。
【００３５】
具体的には、図５に示すように、ガイド紐３０は、袋側周１２のうち、周方向一部分１４に含まれる部分の周方向両側に両端が固定された紐３１と、紐３１の両端間の長さを伸縮自在に調整する係止体３２とからなる。ガイド紐３０は、袋体１０の凹み状態で係止体３２により紐３１の両端間の長さを縮めることにより、ガイド紐３０は係る袋側周部分を周方向両側から締め付けることができる。
【００３６】
持ち手ベルト２０は、図４、図６に示すように、第１ベルト片２１と、第２ベルト片２２と、両ベルト片２１、２２を着脱自在に連結するバックル２３とを有する。なお、持ち手ベルト２０は、一本のベルト部材から構成することもできる。
【００３７】
第１ベルト片２１は、前記袋体１０の周方向一部分１４から並び方向他方側に外れた位置に取り付けられている。このため、第１ベルト片２１は、周方向一部分１４の凹み変形の支障にならない。
【００３８】
一方、第２ベルト片２２は、袋底部１１の並び方向他方側の端縁から袋側周１２の並び方向他方側の外端部１２ａに沿うように取り付けられている。すなわち、第２ベルト片２２は、前記袋体１０の周方向一部分１４から並び方向他方側に外れた位置に取り付けられている。このため、第２ベルト片２２は、周方向一部分１４の凹み変形の支障にならない。
【００３９】
第１ベルト片２１は、取り付け部分を除いて袋側周１２に対する自由部になっている。これにより、第１ベルト片２１は、前記複数の容器２、３、４（図示省略）が袋底部１１上に並ぶ収納状態における袋側周１２の並び方向一方側の外端部１２ｂ、及び前記袋体１０の凹み状態における袋側周１２の並び方向一方側の外端部１２ｃに当てた状態に持ち上げてバックル２３を着脱することが可能になっている。
【００４０】
ここで、図６に示すように、前記複数の容器２、３、４（図示省略）が袋底部１１上に並ぶ収納状態では、前記袋側周１２の並び方向一方側の外端部１２ｂに設けた第１被結合部１５と、前記持ち手ベルト２０の第１ベルト片２１の自由部に設けた第１結合部２４とが合わせられるようになっている。第１被結合部１５と第１結合部２４は、スナップボタンから構成されている。したがって、第１被結合部１５と第１結合部２４は、自在に着脱することができる。なお、第１被結合部１５と第１結合部２４には、面ファスナ等の着脱自在な他の結合手段を採用することができる。
【００４１】
第１被結合部１５と第１結合部２４が結合された状態でバックル２３により第１ベルト片２１と第２ベルト片２２を連結すると、持ち手ベルト２０と袋側周１２の並び方向両側の外端部１２ａ、１２ｂは、それぞれの取り付け部分、及び第１被結合部１５と第１結合部２４により位置決めされる。したがって、持ち手ベルト２０により前記袋体１０を並び方向両側で挟むように吊下げることが可能である。
【００４２】
弁当箱に中身が詰まった携帯時には、吊下げ荷重により持ち手ベルト２０から袋体１０に並び方向両側から力が加えられる。このため、複数の容器２、３、４が並び方向にずれ動き難くすることができる。
【００４３】
また、バックル２３を外して、第１ベルト片２１を並び方向一方側に引き下げると、第１被結合部１５と第１結合部２４が離脱させられる。このため、持ち手ベルト２０の第１ベルト片２１は、前記袋体１０の周方向一部分１４の凹み変形の支障にならない。
【００４４】
ここで、第１被結合部１５と第１結合部２４が離脱し、巾着口１３が緩められた状態では、図５（ａ）中に黒塗り矢示するように、前記袋体１０の周方向一部分１４を凹ますことができ、これにより、袋側周１２の並び方向一方側の外端部１２ｂは周方向に移動する。図５（ｂ）に示すように、前記袋体１０の凹み状態では、袋側周１２が周方向に縮まる結果、図４に示すように、前記第１結合部２４が相対的に前記第１被結合部より高くなり、両者を結合することができなくなる。なお、前記袋側周１２のうち、並び方向一方側の外端部１２ａは、前記の凹ませ前後において変形せず、周方向に移動しない。
【００４５】
そこで、図４、図５（ｂ）に示すように、前記袋体１０の凹み状態で前記袋側周１２の並び方向一方側の外端部１２ｃとなる位置に第２被結合部１６が設けられ、また、前記持ち手ベルト２０の第１ベルト片２１の自由部に前記第１結合部１５より低い位置に第２結合部２５とが設けられている。第２被結合部１６と第２結合部２５は、スナップボタンからなり、前記袋体１０の凹み状態で着脱自在の位置関係になっている。
【００４６】
図４に示すように、第２被結合部１６と第２結合部２５を結合すると、前記袋体１０の凹み状態で、前記持ち手ベルト２０により袋体１０を並び方向両側で挟むように吊下げることができる。これにより、袋体１０の凹み状態でも袋体１０の周方向一部分１４が開くことを持ち手ベルト２０で阻止することができる。
したがって、弁当箱収納袋１は、食後に携帯する間、余剰空間Ｓの絞り状態を維持して主容器２が袋体１０内で遊ぶことを防止することができる。
【００４７】
さらに、弁当箱収納袋１は、ガイド紐３０で前記袋体１０の周方向一部分１４を周方向両側から締め付けることによりこの部分が開くことを確実に防止することができる。
【００４８】
また、第２結合部２５を第２被結合部１６から離脱させることにより、その凹
み状態を手で開いて解除することができる。
したがって、弁当箱収納袋１は、再度、主容器２、上下に重ねた副容器３、４を袋底部１１上に横並びするように保持させることができる。
【００４９】
なお、副容器３、４は、主容器２内に収納される。副容器３、４の蓋は、主容器２の蓋との間に設けられた凹凸構造により、その蓋上に位置決めされ、巾着口１３を絞ることにより上動が規制されている。このため、食後の状態の弁当箱を考えたとき、その遊びを防止するには、主容器２の移動を防止すれば十分である。
【００５０】
また、前記袋側周１２の並び方向他方側の外端部１２ａと前記持ち手ベルト２０の第２ベルト片２２とでポケット１７が形成されている。ポケット１７は、第２ベルト片２２の両側縁部と下端部を逢着することにより形成されている。
したがって、弁当箱収納袋１は、持ち手ベルト２０を利用してポケット１７を簡単に構成することができ、そのポケット１７に箸、フォーク、スプーンなどを差し込んで弁当箱と一緒に携帯することができる。なお、ポケット１７を形成しない場合には、第２ベルト片２２を袋底部１１のみに取り付け、その自由部を位置決めするスナップボタンや面ファスナ等を設けることも可能である。
【００５１】
さらに、図１に示すように、弁当箱収納袋１には、前記袋側周１２の内側に、その袋側周１２が並び方向と交差する向きに開くこと規制する留合せ具１８が設けられている。留合せ具１８は、スナップボタンで留まるようになっており、留め合わせ状態で並び方向と交差する向きの伸張代が殆どない。
したがって、弁当箱収納袋１は、持ち手ベルト２０から袋側周１２に並び方向両側から力が加えられ、袋側周１２が並び方向と交差する向きに開こうとしても留合せ具１８の引っ張りにより殆ど開かなくなり、前記複数の容器２、３、４の並びが乱れることを確実に防止することができる。
【００５２】
さらに、図３、図４、図５（ｂ）に示すように、弁当箱収納袋１には、前記袋底部１１のうち、前記袋体１０の周方向一部分１４に含まれる部分を除いたところに、板材１１ａが設けられている。板材１１ａは、主容器２を支持する。この板材１１ａは、主容器２からの熱逃げを防止するために断熱材から構成されており、内張りと外張りの間に位置決めされている。
したがって、弁当箱収納袋１は、前記袋体１０の周方向一部分１４と、凹ませ不可能な領域、すなわち、主容器２の収納空間を形成する領域との間で触感による固さが板材１１ａで変化しており、周方向一部分１４をユーザに触感で容易に理解させることができる。
その結果、袋側周１２の外面に前記周方向一部分１４を色分け等で表示させる必要がなくなる。弁当箱収納袋１は、袋側周１２の外面全周に亘って均一図柄の外張りが為されている。このように、弁当箱収納袋１は、外張りの図柄を自由に選択することができる。
【００５３】
さらに、弁当箱収納袋１では、図３、図５に示すように、前記袋側周１２の周方向一部分１４のうち、周方向で前記袋体１０の凹み状態における凹み中心部１４ａ（図５（ａ）中に２点鎖線で描いた×表示領域）を除いた範囲に、芯材１２ｄが設けられている。凹み中心部１４ａは、図５（ｂ）に示すように、最も屈曲する部分であり、この部分の剛性のみが芯材１２ｄの除去で低下する。このため、凹み中心部１４ａを容易に凹ませることができる。
【００５４】
この発明の第２実施形態に係る弁当箱収納袋を図７に基づいて説明する。なお、以下、第１実施形態との相違点を中心に述べ、同一の構成には同符号を付し、その説明を省略する。
図７（ａ）に示すように、第２実施形態に係る弁当箱収納袋５は、袋側周１２の外側に、スライドファスナ５０を構成する一対のエレメント５１、５２を周方向に離間させて設けたものである。前記袋体１０の周方向一部分１４は、周方向で前記一対のエレメント５１、５２間に位置させられている。
【００５５】
図７（ｂ）に示すように、袋体１０の凹み状態で、前記一対のエレメント５１、５２がスライダ５３で噛み合わされる。これにより、前記周方向一部分１４が開かないようになっている。
【００５６】
この発明の第３実施形態に係る弁当箱収納袋を図８〜図１０に基づいて説明する。
図８、図９に示すように、第３実施形態に係る弁当箱収納袋６は、前記袋側周１２の外側に、フラップ６１とこのフラップ６１から周方向に離間する被係合面ファスナ６２とを設けたものである。
【００５７】
前記袋体１０の周方向一部分１４は、周方向で前記フラップ６１と被係合面ファスナ６２の間に位置させられている。
【００５８】
図８（ｂ）、図１０に示すように、前記袋体１０の凹み状態で前記フラップ６１の内側に設けた面ファスナ６３と前記被係合面ファスナ６２が結着される。これにより、周方向一部分１４が開かないようになっている。
【００５９】
なお、弁当箱収納袋６は、前記第１ベルト片２１と袋側周１２の並び方向一方側の外端部１２ｂ、１２ｃとの位置決めがスナップボタンに代えて、押さえベルト６４により実施されている。押さえベルト６４は、図１０（ａ）に示すように、前記第１ベルト片２１と袋側周１２の並び方向一方側の外端部１２ｂとを位置決めする場合を自然状態とし、図１０（ｂ）に示すように、フラップ６１の面ファスナ６３を被係合面ファスナ６２に結着する際、これらの間に挟み込んで袋側周１２と共に縮まり状態に維持される。
【図面の簡単な説明】
【００６０】
【図１】第１実施形態に係る弁当箱収納袋に弁当箱を収納した状態を示す全体斜視図
【図２】図１の弁当箱収納袋と弁当箱の全体斜視図
【図３】図１の弁当箱収納袋を短手方向に切断した縦断側面図
【図４】図１の弁当箱収納袋の凹み状態を示す正面図
【図５】（ａ）図１の弁当箱収納袋の凹ませ開始状態を示す作用図、（ｂ）図１の弁当箱収納袋の凹み状態を持ち手ベルトとガイド紐で維持した状態を示す作用図
【図６】図１の持ち手ベルトを示す正面図
【図７】（ａ）第２実施形態に係る弁当箱収納袋の凹ませ開始状態を示す作用図、（ｂ）第２実施形態に係る弁当箱収納袋の凹み状態を持ち手ベルトとスライドファスナで維持した状態を示す作用図
【図８】（ａ）第３実施形態に係る弁当箱収納袋の正面側要部斜視図、（ｂ）前記（ａ）図のフラップの裏側を示す部分拡大図
【図９】第３実施形態に係る弁当箱収納袋の背面側要部斜視図
【図１０】（ａ）第３実施形態に係る弁当箱収納袋の凹ませ開始状態を示す作用図、（ｂ）第３実施形態に係る弁当箱収納袋の凹み状態を持ち手ベルトとスライドファスナで維持した状態を示す作用図
【符号の説明】
【００６１】
１、５、６  弁当箱収納袋
２  主容器
３、４  副容器
１０  袋体
１１  袋底部
１１ａ  板材
１２  袋側周
１２ｄ  芯材
１３  巾着口
１４  周方向一部分
１４ａ  凹み中心部
１５  第１被結合部
１６  第２被結合部
１７  ポケット
１８  留合せ具
２０  持ち手ベルト
２１  第１ベルト片
２２  第２ベルト片
２３  バックル
２４  第１結合部
２５  第２結合部
３０  ガイド紐
３１  紐
３２  係止体
５０  スライドファスナ
５１、５２  エレメント
５３  スライダ
６１  フラップ
６２  被係合面ファスナ
６３  面ファスナ
６４  押さえベルト
Ｓ  余剰空間
【図１】
2007313216.tif 000003
【図２】
2007313216.tif 000004
【図３】
2007313216.tif 000005
【図４】
2007313216.tif 000006
【図５】
2007313216.tif 000007
【図６】
2007313216.tif 000008
【図７】
2007313216.tif 000009
【図８】
2007313216.tif 000010
【図９】
2007313216.tif 000011
【図１０】
2007313216.tif 000012